(57)【特許請求の範囲】
【請求項１】
側面（２、３、４、５；３３、３５；５１、５２、５３、５４；９７、９８）、フタを形成する上部面（６）及びケースの底面を形成する下部面（７）を有する、多角形断面を呈する、段ボールシート材料又はそれと同等の材料で作られたケース（１；７３；８３；１０３、１０３’）において、
前記上部面は、上部面の外表面との関係において突出した付属物状態の部分を呈し、前記底面は、前記付属物状態の部分と相補的な形状をもち下側に配置されたケースの前記付属物状態の部分と嵌合するように配置されたくぼみ状態の部分を含んでなり、
前記付属物状態の部分は、一方の側が、フラップの重複によって形成されることになる上部面のフラップ中か又は前記上部面に隣接する側面中でカットされた前記フタの２つの相対する側面上にそれぞれ設けられ、もう一方の側は、前記上部面と隣接する側面の間で接合ライン（１１；４２；６３；８８）とほぼ一体となる形で平行に折畳まれている少なくとも２つの舌状部分（８、９；４４；６９；８４；１０４）で形成されており、前記舌状部分は、それが接着されている前記上部面の外表面上にそれぞれ折返されていること、及び
前記くぼみ状態の部分は、舌状部分の形状と相補的な全体的形状をもつ、前記下部面中に設けられた、前記舌状部分に対応する少なくとも２つのくり抜き部又は切込み部分（１３、１４；３８；６２；１０２；１０５）によって形成されていること、
を特徴とするケース。
【請求項２】
前記下部面（７）と側面は、少なくとも一部分が開放した容器部分（３０）で形成され、ケースのフタは、少なくとも１つの側方フラップ（４３）を備えた面板（４１）で構成され、少なくとも１つの舌状部分（４４）が前記側方フラップ中にカットされ、前記舌状部分は折返されて、上部面を形成する前記面板（４）上に接着されることを特徴とする、請求項１に記載のケース。
【請求項３】
前記下部面及び側面は、互いに接合ラインにより連結された側面を形成するための一続きの少なくとも４つの主要面板を含むブランクから形成され、各主要面板には下部フラップが備わり、前記下部フラップはケースの底面を形成するためのものであり、ケースのフタは少なくとも１つの側方フラップを備えた中央面板により構成され、前記側方フラップには少なくとも１つの舌状部分がカットされ、前記舌状部分は、上部面を形成する前記中央面板上に接着されるように折返しされることを特徴とする、請求項１に記載のケース。
【請求項４】
互いに接合用ラインにより連結され、側面を形成するための一続きの少なくとも４枚の主要面板を含むブランクから形成され、前記各主要面板は、この主要面板の両側にそれぞれ設けられた上部フラップと下部フラップを備えており、前記上部フラップは、ケースのフタを形成するためのものであり、前記下部フラップはケースの底面を形成するためのものであり、舌状部分がケースの側面内にカットされ、くり抜き部が前記下部フラップに作られていることを特徴とする、請求項１に記載のケース。
【請求項５】
互いに接合用ラインにより連結された一続きの少なくとも４枚の主要面板（２、３、４、５）を含むブランク（１５）から形成され、前記各主要面板は、それぞれこの主要面板の両側に設けられた上部フラップ（１８’、１８”、１８”’）及び下部フラップ（１９’、１９”、１９”’）を備えており、前記上部及び下部フラップは、ケースの２つの側壁を形成するためのものであること、及び舌状部分（８、９）がフタを形成する第１の面板（６）の下部フラップ（１９”）及び上部フラップ（１８”）内でカットされ、くり抜き部がケースの底面を形成する前記第１の面板に隣接していない第２の面板（７）内に作られていることを特徴とする、請求項１に記載のケース。
【請求項６】
−  底面及びフタは各々、相対する２つの外部フラップ（６０、６４）及びこれら外部フラップの下に設けられた相対する２つの内部フラップ（６１、６８）を含んでおり、前記フラップは、折畳みラインによってそれぞれ側面に連結されていること、
−  ２つの舌状部（６９；１００）は、前記内部フラップ内で片側がカットされ、もう一方の側はそれぞれ前記内部フラップの折畳みラインに対し平行に折畳まれており、前記外部フラップは前記舌状部分に隣接する前記内部フラップ部分の上に接着され、前記舌状部分は、それらが接着されている前記外部フラップをそれぞれ被覆していることを特徴とする請求項１に記載のケース。
【請求項７】
外部フラップには、折畳みラインと接合する隅に切込み（６５）が含まれていること、及び内部フラップが、前記切込み内に嵌合する突出部分（７２）を含んでなることを特徴とする、請求項６に記載のケース。
【請求項８】
外部フラップが、折畳みライン（９２）上に設けられた中間切込み（９１）を含むこと、及び内部フラップは、前記中間切込み内に嵌入する向かい合わせの端部の突出部分（８９）を含むことを特徴とする、請求項６又は７に記載のケース。
【請求項９】
ケースのフタを形成する上部面の外表面上に接着された２つずつ相対する４つの舌状部分（１０４）、及びケースの下部面内に設けられた向かい合わせの４つのくり抜き部（１０５）を有することを特徴とする、請求項１乃至８のいずれかに記載のケース。
【請求項１０】
舌状部分は、前記舌状部分の周囲に周辺くり抜き部（２２、４５、７０、１１０）を設けることでカットされることを特徴とする、請求項１乃至９のいずれかに記載のケース。
【請求項１１】
舌状部分は、矩形又は等脚台形の形状を呈することを特徴とする、請求項１乃至１０のいずれかに記載のケース。
【請求項１２】
フタには、それぞれその両側に平行に、かつ接着された舌状部分を備えた上部面と側面の間の接合ライン（６３、８１）から規定の距離の位置に設けられた２本の心出しされたスリット（６６、７８）が含まれており、前記スリットの端部は、２つのスリットからケースの外部に向かって引張ることにより前記フタを剥ぎ取ることでケースの開梱を可能にするための、前記接合ラインと接合端部コーナーとが破断ライン（６９）により連結されていることを特徴とする、請求項１乃至１１のいずれかに記載のケース。
【請求項１３】
８つの面、すなわちコーナーカットを形成する中間面（９８）により分離された４つの主要面（９７）を有すること、及びそれが１つのマンドレルのまわりに形成されていることを特徴とする、請求項１乃至１２のいずれかに記載のケース。
【請求項１４】
側面（２、３、４、５；３３、３５；５１、５２、５３、５４；９７、９８）、フタを形成する上部面（６）及びケースの底面を形成する下部面（７）を含む多角形断面をもつケースを形成することを目的とする、段ボールシート又はそれと同等の材料のブランク（１５；５０；９６）又はブランクアセンブリ（３１、４６）において、
前記ブランク又はブランクアセンブリは
−  ケースのフタを形成するための第１のブランク又は第１のブランク部分を有し、この第１のブランク又は第１のブランク部分は、少なくとも１つの側方フラップ（１８”；１９”；４３）を備えた面板（６、４１）を含むか又は上部フラップと呼ばれる２つのフラップ（６８、１０６）を含み、前記面板又は２つの上部フラップは前記上部面を形成することを目的としており、さらに、
−  下部面板（７、３２）を含むか又は少なくとも２つの下部フラップ（６０；１１１）を含む、ケースの底面を構成するための第２のブランク（３１）又は第２のブランク部分を有し、この下部面板又は前記下部フラップは、ケースの下部面を形成するためのものであり、
−  前記側方フラップ（１８”；１９”；４３）又は前記上部フラップ（６８、１０６）は、各々、片側が前記フラップの中にカットされ、もう一方の側が上部面又は隣接面板に対し前記フラップの折畳みライン（１１；４２）との関係において前記隣接面板とわずかにずれた折畳みライン（１２；４６）により連結されている少なくとも１つの舌状部分１８、９；４４、６９；８４；１０４）を有しており、
前記舌状部分は、それぞれ上部面（６）を被覆してそこに接着されるように配置されていること、
及び、前記下部面板（７、３２）又は前記下部フラップ（６０、１１１）は、ケースがひとたび形成された状態で舌状部分の全体的形状と相補的な全体的形状をもつくり抜き部分（１３、１４；３８；１０５）又は切込み部分（６２、１０２）を有すること、
を特徴とするブランク又はブランクアセンブリ。
【請求項１５】
−  側方フラップを備えた面板（６、４１）を含むケースのフタを形成することを目的とする第１のブランク又は第１のブランク部分を有し、前記側方フラップの少なくとも１つの中に少なくとも１つの舌状部分（８、９、４４）がカットされ、上部面を形成する前記面板上に折返され接着されるように配置されていること；
−  及び、ケースの底面を形成することを目的とし、ケースの側方壁を形成するための第２の側方フラップのうちのいくつかについて補完された第１のフラップをその各々の側に備えている矩形中央面板（７、３２）を含んでなる第２のブランク（３１）又は第２のブランク部分をさらに含み、前記中央面板が、第１のフラップと接合ライン（２４、３４）に沿って向かい合って設けられた少なくとも２つのくり抜き部（１３、１４；３８）を含み、前記くり抜き部は、舌状部分の形状と相補的な形状をもち、ケースが形成された時点で前記舌状部分と重畳するように配置されていること、
を特徴とする、請求項１４に記載のブランク又はブランクアセンブリ。
【請求項１６】
互いに接合ライン（１７）により連結された一続きの少なくとも４つの主要面板（２、４、６、７）を有し、各主要面板にはそれぞれ上部フラップと下部フラップが両側に備わっており、第１の主要面板（６）はケースのフタを形成するためのものであり、第１の主要面板に隣接していない第２の主要面板（７）は、ケースの底面を形成するためのものであること、及び舌状部分（８、９）は、前記第１の主要面板の下部フラップ（１９”）及び上部フラップ（１８”）の中でカットされ、くり抜き部（１３、１４）は第２の主要面板（７）の中に作られていることを特徴とする請求項１４に記載のブランク。
【請求項１７】
平行な第１の折畳みライン（５６、９９）を介して互いに連結された一続きの側面板（５１、５２、６３、５４；９７、９８）、ケースの底面を形成するための、前記折畳みラインに対し直交する第２の折畳みライン（５９）により前記側面板の１辺に連結された第１のフラップアセンブリ、及びケースのフタを形成するための、前記第１の折畳みラインに対して直交する第３の折畳みライン（６３）により前記側面板のもう１つの辺に連結されている第２のフラップアセンブリを有し、前記第１及び第２のアセンブリは、２つのいわゆる内部側方フラップ（６１、６８）とともに２つのいわゆる挿入される側方フラップ（６０、６４）で構成されていること、及び
フタの前記内部フラップは、各々前記内部フラップの中で片側がカットされ、しかももう１つの側が前記フラップの第３の折畳みラインとほぼ一体化した折畳みラインによって隣接する面板に連結された舌状部分（６９、１００）を有しており、
前記外部フラップは、舌状部分に隣接する内部フラップ部分上に接着されるように配置され、前記舌状部分は、それが接着されている前記外部フラップをそれぞれ被覆するように配置されていること、
及び底面の外部フラップの側方側が、半舌状部分の形状と相補的な形状をもつ切込みを有することを特徴とする、請求項１４に記載のブランク。
【請求項１８】
前記第３の折畳みラインと反対側の外部フラップの周縁部分がそれぞれ、前記対応するフラップの側縁部から規定の距離の位置で、前記外部フラップの両側に設けられている２つの半スリット（６６）を含んでなることを特徴とする、請求項１７に記載のブランク。
【請求項１９】
ケースのフタを形成する目的をもつ面板の中に作られた２つの向かい合ったスリット（７８）を有することを特徴とする請求項１５又は１６に記載のブランク又はブランクアセンブリ。
【請求項２０】
前記スリット又は半スリットの各端部が、規定の距離にわたり前記フタ内のミシン目入りライン（６７）により延長されており、このミシン目入りラインは、舌状部分（６９）に隣接する側面と接合ラインの隅のコーナーに向かって斜めに導かれ、前記ケースが形成された時点で前記舌状部分の対応する縁部及びフタの接着点を超えてフタの中心に向かって設けられるように配置されていることを特徴とする、請求項１乃至１９のいずれかに記載のブランク又はブランクアセンブリ。
【請求項２１】
前記各舌状部分が矩形又は等脚台形の形状を呈することを特徴とする、請求項１乃至２０のいずれかに記載のブランク。
【請求項２２】
前記舌状部分は、周辺くり抜き部（２２、４５、７０、１１０）を前記舌状部分のまわりに設けることによりカットされていることを特徴とする、請求項１４乃至２１のいずれかに記載のブランク。
【発明の詳細な説明】
本発明は、側面、フタを形成する上部面及びケースの底面を形成する下部面を有するタイプの、段ボールシート材料又はそれと同等の材料から作製されるケースに関する。
本発明は同様に、かかるケースを製造するためのブランクにも関する。
本発明は、常にではないものの、過度に大きいサイズの積重ね山の場合に、下側に積まれたケースが圧壊しやすくなるパレット上への積重ねを可能とするケースの分野に、特に多く利用される。
本発明は同様に、ケースが完全に充填されていない場合に、側方から応力を受けて変形し圧縮に対する強度が低くなる可能性がある、４つ以上の側面をもつ多角形のケースにも応用できる。
包装材料の稜に設置された開口部に嵌合する側面の突起物（ほぞ：tenon）を用いたケースの心出しシステムは既に知られている。このような手段は、ケースが壊れやすく繰返しの取扱いに耐えられない。
同様に、ケースのフタを固定できるようにし、その後これらの不都合な変形を回避できるようにする補強する（掛け金をする）システムも知られている。つまり、特に、これは接着テープによる補強である。しかしながら、このようなシステムには欠点がある。これらは、実際、ケースを補強する構成要素すなわち接着テープを必要とし、このため、製造の際に追加のコスト及び作業を引き起こす。
フランス特許第Ａ−２３１１７１７号明細書は、フラップで形成されたフタが、互いに積重ねられた２つのケースの滑りを回避するため、底面のフラップの中に設けられた切込みの形状と相補的な形状のフラップを有する包装材料について開示している。
それでも得られたケースの積重ねは決して完全に垂直なものとはなっていない。
本発明は、過去において工業的かつ反復的な形で得られたことのない、ケースを相互に垂直に互いの上に完全な形で積み上げることを可能にするケース同士の心出しを提案するという点で特に、既知のものに比べ実用的な要求条件をよりよく満たすケース及びブランクを提案することを目的とする。
このようにして、本発明に従った心出しのおかげで、同質の段ボールを用いて、パレットの下部に置かれたケースの圧縮強度を１５％改善することが認められた。
本発明に従った心出しにより完全な積重ねが可能になることから、下側のケースは、こうしてよりうまく圧縮応力を受け、しかもより高い応力に耐えられるも可能となる。
この目的で、本発明は特に、フタには、それぞれ前記フタの相対する側面に設けられ、上部面の厚み内又はこの上部面に隣接する側面内に片側がカットされており、しかももう一方の側では前記上部面と隣接する側面との間の接合ラインとほぼ一体となる形で平行に折畳まれている少なくとも２つの舌状部分が含まれており、前記舌状部分は、それが前記上部面の外表面との関係において突出した付属物を構成するような形で、それが接着されている前記上部面の前記外表面を被覆していること、及び、底面には、下側に配置されたケースの舌状部分と嵌合するように配置され、かつ舌状部の形状と相補的な形状をもつ、前記下部面の中に作られた前記舌状部に対応する少なくとも２つのくり抜き部が含まれていることを特徴とする、上述のタイプのケースを提案している。
有利な実施形態においては、さらに、以下の配置のうちのいずれか１つ及び／又は複数のものが利用される。
−  下部面と側面は、少なくとも一部分が開放した容器部分で形成され、ケースのフタは、少なくとも１つの側方フラップを備えた面板で構成され、少なくとも１つの舌状部分が前記側方フラップ中にカットされ、前記舌状部分は折返されて、上部面を形成する前記面板上に接着されること；
−  下部面及び側面は、互いに接合ラインにより連結された側面を形成するための一続きの少なくとも４つの主要面板を含むブランクから形成され、各主要面板には下部フラップが備わり、前記下部フラップはケースの底面を形成するためのものであり、ケースのフタは少なくとも１つの側方フラップを備えた中央面板により構成され、前記側方フラップには少なくとも１つの舌状部分がカットされ、前記舌状部分は、上部面を形成する前記中央面板上に接着されるように折返しされること；
−  ケースは、互いに接合用ラインにより連結され側面を形成するための一続きの少なくとも４枚の主要面板を含むブランクから形成され、各主要面板は、この主要面板の両側にそれぞれ設けられた上部フラップと下部フラップを備えており、前記上部フラップは、ケースのフタを形成するためのものであり、前記下部フラップはケースの底面を形成するためのものであり、舌状部分は、ケースの側面内にカットされ、下部フラップにくり抜き部が作られていること；
−  ケースは、互いに接合用ラインにより連結され、その２つの側面、底面及びフタを形成するための一続きの少なくとも４枚の主要面板を含むブランクから形成され、各々の主要面板は、それぞれこの主要面板の両側に設けられた上部フラップ及び下部フラップを備えており、前記上部又は下部フラップは、ケースのその他の２つの側面を形成するためのものであること、及び舌状部分は、フタを形成する第１の面板の下部フラップ及び上部フラップ内でカットされ、ケースの底面を形成する第２の面板内にくり抜き部が作られていること；
−  底面及びフタは各々、相対する２つの外部フラップ及びこれら外部フラップの下に設けられた相対する２つの内部フラップを含んでおり、前記フラップは、折畳みラインによってそれぞれ側面に連結されていること、及び２つの舌状部分は、内部フラップ内で片側がカットされ、もう一方の側はそれぞれ前記内部フラップの折畳みラインに対し平行に折畳まれており、前記外部フラップは舌状部分に隣接する内部フラップ部分の上に接着され、前記舌状部分は、それらが接着されている前記外部フラップをそれぞれ被覆していること；
−  外部フラップには、折畳みラインと接合する隅に切込みが含まれていること、及び内部フラップが、前記切込み内に嵌入する向かい合わせの端部の突出部分を含んでなること；
−  外部フラップは、折畳みライン上に設けられた中間切込みを含むこと、及び内部フラップは、前記中間切込み内に嵌入する向かい合わせの端部の突出部分を含むこと；
−  ケースは、そのフタを形成する上部面の外表面上に接着された２つずつ相対する４つの舌状部分、及びケースの下部面内に設けられた向かい合わせの４つのくり抜き部を有すること；
−  舌状部分は、前記舌状部分の周囲に周辺くり抜き部を設けることでカットされること；
−  各舌状部分は、矩形又は等脚台形の形状を呈すること；
−  フタには、それぞれその両側に平行に、かつ接着された舌状部分を備えた上部面と側面の間の接合ラインから規定の距離の位置に設けられた２本の心出しされたスリットが含まれており、前記スリットの端部は、２つのスリットからケースの外部に向かって引張ることにより前記フタを剥ぎ取ることでケースの開梱を可能にするための、前記接合ラインと接合端部コーナーとが破断ラインにより連結されていること；
−  ケースは、８つの面、すなわちコーナーカットを形成する中間面により分離された４つの主要面を有すること、及びそれが１つのマンドレルのまわりに形成されていること。
本発明は、また、上述のとおりのケースを得ることを可能にするブランクをも提案する。
本発明はまた、そして特に、側面、フタを形成する上部面及びケースの底面を形成する下部面を含む多角形断面をもつケースを形成することを目的とする、段ボールシート又はそれと同等の材料のブランク又はブランクアセンブリにおいて、フタ及びケースを形成することを目的とする第１のブランク又は第１のブランク部分を有し、前記第１のブランク又は前記第１のブランク部分が、少なくとも２つの側方フラップを備えているか又は上部フラップと呼ばれる２つのフラップを含む面板を含み、前記面板又は２つの上部フラップは、前記上部面を形成することを目的としていること、
前記少なくとも２つの側方フラップ又は前記上部フラップは各々、前記フラップ内で片側がカットされもう一方の側が上部面又は隣接する面板に対し前記フラップの折畳みラインとの関係においてこの隣接する面板とわずかにずれた折畳みラインによって連結された少なくとも１つの舌状部分を有しており、前記舌状部分は、それぞれ上部面を被覆してそこに接着されるように配置されていること、
及び下部面板を含むか又は少なくとも２つの下部フラップを含んでなり、ケースの底面を構成するための第２のブランク又は第２のブランク部分を有し、前記下部面板又は前記２つの下部フラップがケースの下部面を形成するためのものであり、ケースがひとたび形成されると、舌状部分の全体的形状と相補的な全体的形状をもつ切込み又は切込み部分が具備されていることを特徴とするブランク又はブランクアセンブリを提案する。
有利な一実施形態においては、ブランク又はブランクアセンブリは、側方フラップを備えた面板を含むケースのフタを形成することを目的とする第１のブランク又は第１のブランク部分を有し、前記側方フラップの少なくとも１つの中に少なくとも１つの舌状部分がカットされ、上部面を形成する前記面板上に折返され接着されるように配置されており、このブランク及びブランクアセンブリはケースの底面を形成することを目的としケースの側方壁を形成するための第２の側方フラップのうちのいくつかについて補完された第１のフラップをその各々の側に備えている矩形中央面板を含んでなる第２のブランク又は第２のブランク部分をさらに有し、前記中央面板は、第１のフラップと接合ラインに沿って向かい合って設けられた少なくとも２つのくり抜き部を含み、前記くり抜き部は、舌状部分の形状と相補的な形状をもち、ケースが形成された時点で前記舌状部分と重畳するように配置されている。
１つの有利な実施形態においては、ブランクは、互いに接合ラインにより連結された一続きの少なくとも４つの主要面板を有し、各主要面板には、その両側に設けられた上部フラップと下部フラップが両側に備わっており、第１の主要面板はケースのフタを形成するためのものであり、第１の主要面板に隣接していない第２の主要面板は、ケースの底面を形成するためのものであり、及び舌状部分は前記第１の主要面板の下部フラップ及び上部フラップの中でカットされ、くり抜き部は第２の主要面板の中に作られている。
有利には、ブランクは平行な第１の折畳みラインを介して互いに連結された側面板、ケースの底面を形成するための、前記折畳みラインに対し直交する第２の折畳みラインにより前記側面板の１辺に連結された第１のフラップアセンブリ、及びケースのフタを形成するための、前記第１の折畳みラインに対して直交する第３の折畳みラインにより前記側面板のもう１つの辺に連結されている第２のフラップアセンブリを有し、前記第１及び第２のアセンブリは２つのいわゆる内部側方フラップとともに２つのいわゆる挿入される側方フラップで構成されており；フタの前記内部フラップは、各々前記フラップの中で片側がカットされしかももう１つの側が前記フラップの第３の折畳みラインとほぼ一体化した折畳みラインによって隣接する面板に連結された舌状部分を有しており、
前記外部フラップは、舌状部分に隣接する内部フラップ部分上に接着されるように配置され、前記舌状部分は、それが接着されるための前記外部フラップをそれぞれ被覆するように配置されていること、
及び底面の外部フラップの側方側が、半舌状部分の形状と相補的な形状をもつ切込みを有することを特徴とする。
有利には、第３の折畳みラインと反対側の外部フラップの周縁部分は、それぞれ、前記対応するフラップの側縁部から規定の距離の位置で、前記外部フラップの両側に設けられている２つの半スリットを含んでなる。
同様に有利には、もう１つの実施形態において、ブランク又はブランクアセンブリは、ケースのフタを形成する目的をもつ面板の中に作られた２本のスリットを有している。
もう１つの有利な実施形態においては、スリット又は半スリットの各端部は、規定の距離にわたり前記フタ内のミシン目入り又は破断ラインにより延長されており、このミシン目入りラインは、舌状部分に隣接する側面と接合ラインの隅のコーナーに向かって斜めに導かれ、前記ケースが形成された時点で前記舌状部分の対応する縁部及びフタの接着点を超えてフタの中心に向って設けられるように配置されている。
有利には、各舌状部分は、矩形又は等脚台形の形状を呈する。
ここでより具体的に記述する本発明に従うと、舌状部分は、周辺くり抜き部を前記舌状部分のまわりに設けることによりカットされる。
本発明は、制限的な意味ではなく示された実施形態についての以下の記述を読むことにより、さらによく理解できることであろう。
本発明は、添付図面を参考にしている。なお図面中、
−  図１は、本発明の第１の実施形態に従ったケースの斜視図である。
−  図１Ａは、図１の２つのケースの間の心出しの原理を示す概略的部分断面図である。
−  図２は、図１のブランクの平面図である。
−  図３は、本発明の第２の実施形態に従った、直方体状のケースの下部部分の斜視図である。
−  図４Ａ及び４Ｂは、それぞれ図３の前記下部部分及び対応するケースのフタを得ることを可能にするブランクの平面図である。
−  図５は、本発明のもう１つの実施形態である４枚の面板付のブランクの平面である。
−  図６は、図５のブランクに従った、フタが開いた状態のケースの斜視図である。
−  図７、８及び９は、フタの連続的な形成を示す、図５のケースの平面図である。
−  図１０は、ひとたび形成された状態の図６〜９のケースの斜視図である。
−  図１１は、本発明に従った第４の実施形態であるフタが開いた状態のケースの斜視図である。
−  図１２は、フタが閉じた状態の、図１１のケースの斜視図である。
−  図１３は、本発明に従ったもう１つの実施形態である８つの側面をもつブランクの平面図である。
−  図１４は、本発明に従ったもう１つの実施形態である、フタと底面の間の嵌合の可能性を示す４つの心出し用舌状部分を伴うケースの斜視図を示している。
−  図１５は、図１４のケースのブランクの平面図である。
図１は、４つの矩形側面２、３、４及び５、すなわち向かい合った２つの大きな面２及び４と向かい合った２つの小さい端面３及び５を含む、平行６面体形状の３mm又は５mmの厚みの、例えば両面又は複両面段ボールケース１を示している。
このケース１は同様に、ケースのフタを形成する上部面６及びケースの底面を形成する下部面７も含んでなる。
本発明のこの実施形態に従うと、フタは、幅が３cm以上、例えば４cmで、長さが２cm以上、例えば４cmで、厚みがボール紙の厚みに等しい舌状部分８及び９を含み、これらの舌状部分は、例えばアングロサクソン系の言語で「ホットメルト」と呼ばれる接着剤で上部面の外表面１０上にフラップ後に接着されるように、前記舌状部分の３つの辺が、上部面６に隣接する側面３及び５の中にそれぞれカットされている。
このため、舌状部分は、その第４の辺上で、この舌状部分に向かって接合ライン１１からずらされているライン１２を１本含む二重の折畳みラインを中心として、上部面と側面の間の接合ライン１１とほぼ一体となる形で平行に折畳まれている。
二重のラインのずれにより、その接合ライン１２側の舌状部分の端部の取外しが可能となり、上側のケースのくり抜き部との嵌合に有利に作用するようにより大きな突出部分を構成する（図１Ａ参照）。
舌状部分８及び９は、例えば、対応する側面との関係において心出しされている。これらは同様に、上部面６の中心Ｃとの関係において対称に配置することもできる。
一方、下部面７により構成される底面は、舌状部分８及び９に重畳する、舌状部分と１mm未満の誤差で同じサイズの矩形くり抜き部１３及び１４を含んでなり、こうして下側のケースの舌状部分と上側のケースのくり抜き部分の間の完璧な嵌合が可能となっている。
図２には、図１のケース１を製造することを可能にするブランク１５を示した。
このブランク１５は、面板の長さ全体にわたって伸びている接着用の舌状部分１６で終結される一続きの４枚の面板７、４、６及び２を含んでいる。
面板は互いに、折畳みライン又は接合ライン１７により連結されている。
一続きの面板は、片側では第１の上部フラップアセンブリ１８で縁どられ、もう一方で側では、第２の下部フラップアセンブリ１９で縁どられている。
より正確に言うと、各々の主要面板は、上部面板と下部面板を有する。
ケースの側面を形成するための面板２及び４は、各々、互いに同一サイズの矩形の下部面板１９’と上部面板１８’を含んでなる。
面板１８’及び１９’は、例えばケースが製造された時点でその端部が突合わせ状態となることによって、ケース１の側方壁３及び５の内部部分を形成するように配置されている。
ケースのフタを形成することを目的とする面板６は、折畳みライン１１により、矩形舌状部分８及び９を含む２つの矩形フラップ１８”及び１９”に連結されている。
各々の舌状部分は、対応するフラップ内で３辺２０がカットされ、第４の辺２１で二重折畳みライン１２により面板６に連結されている。
例えば１mm〜５mmの間、例えば３mmといった、フラップから舌状部分の取出しを容易にするのに充分な幅のくり抜き部２２又は２３が、それぞれ舌状部分８及び９の周囲に設けられている。
このくり抜き部は、ケースの形成の際に、マンドレルのまわりにフラップ１８”及び１９”を折畳む時に、面板６の延長部分に舌状部分８及び９を水平に維持することを可能にしている。
その後、本発明に従った心出し手段を構成するべく前記舌状部分を突出位置に接着させるためには、二重折畳みライン１２に沿って面板６に向かい舌状部分を下から押して折返すだけでよい。
最後に、面板７の方は、ライン１７に対し直交する折畳みライン２４を介して、フラップ１８”及び１９”と等しいサイズであり舌状部分を備えていない２つの矩形フラップ１８”’及び１９”’に連結され、ここでフラップ１８”、１８”’、１９”及び１９”’の横方向の長さは、ケースが形成された時点でこれらのフラップがライン２５に沿って２つずつ突合わさることになるような長さである（図１参照）。
面板７は、ボール紙が複両面である場合には、その厚みの部分のみに設けられた２つの矩形くり抜き部１３及び１４を含み、フラップ側にあるその端部２６は、折畳みライン２４に重なり、こうしてひとたびケースが形成された時点で、二重ライン１２のずれに起因するより大きな突出部分２８とのより優れた嵌合を可能にするような、ライン１２に平行し垂直方向に余分な厚みを設けたより大きいくり抜き部２７が可能となる。
かくして図１Ａは、ケース１のくり抜き部２７の中への、ケース１’の突出部分２８’の嵌合を断面図で概略的に示す。
このような調整は、特に、フランス特許第８８０３７１９号明細書の中で記述されているように、マンドレルを中心にしてケースが形成される場合に求められる精度で可能となる。
図３、４Ａ及び４Ｂは、中央面板３２、各側にフラップ、すなわち折畳みライン３４により中央面板３２に連結され向かい合う同一サイズの２つの第１の矩形フラップ３３及び折畳みライン３４に対し直交する折畳みライン３６により面板３２に連結された２つの第２の矩形フラップ３５を含み、しかもこの第２のフラップはそれ自体、容器部分の向かい合う側方壁のうちの２つを矩形フラップ３３との接着により形成することを目的としてそれぞれの側方辺に連結された２つの第３の同一サイズのフラップ３７を含み、ここで他の２つの側方壁はフラップ３５で形成されており、それ自体既知のタイプのブランク３１によって形成された平行６面体の開放容器部分３０を示す（図４Ａ参照）。
ここで記述されている実施形態においては、４つの心出し手段が具備されている。
このため、中央面板３２は、その１辺３９が折畳みライン３４及び３６の中央部分に位置し、矩形の、ケースの側方壁との関係において心出しされた、例えば同一サイズにくり抜かれた４つの部分３８を有している。
図４Ｂは、図３の容器部分３０によって得られるケースのフタを構成するためのブランク４０を示す。
ブランク４０は、矩形フラップ４３に対し、２本ずつ直交する折畳みライン４２によって連結された矩形中央面板４１を有している。
各フラップ４３は、周辺くり抜き部４５を設けることによりフラップの中で３辺がカットされ、かつ二重の折畳みライン４６又は舌状部分の内部にずらされた単純な折畳みラインによって、前記中央面板４１の側縁部でこの中央面板に連結されている、例えば矩形の、本発明に従った舌状部分４４を有している。
舌状部分４４は、くり抜き部分３８の形状と相補的な形状をもち、したがって、面板４１の外部面上に、例えばアングロサクソン系言語で「ホットメルト」と呼ばれる接着剤を用いて、折返され接着されるように配置されている。
フラップ４３の残りの部分は、容器部分３０のフラップ３３及び３５の外表面上に接着される。
図５は、一続きの４つの側面板、すなわち２枚の小さな矩形面板５３及び５４が挿入された２枚の大きな矩形面板５１及び５２を含んでなるブランク５０を示す。
一続きの面板は、一方の側で、端部面板５１の周縁上に固定されるための舌状部分５５により終結している。面板は、平行する第１の折畳みライン５６によって互いに連結されている。
ブランクは、ケースの底面を形成することを目的とする、面板の片側にあるフラップの第１のアセンブリ５７、及びケースのフタを形成することを目的とする、面板のもう一方の側に位置づけされたフラップの第２のアセンブリ５８を含んでなる。
より正確に言うと、第１のアセンブリ５７は、第１の折畳みラインに対して垂直な整列した折畳みライン５９によって４枚の面板の側方辺に連結されたほぼ矩形の４枚の面板、すなわち大きい面板５１及び５２に連結された２枚の大きな同一サイズのいわゆる外部フラップ６０及び小さな面板５３及び５４に連結された２枚の同一サイズのいわゆる内部フラップ６１を含んでなる。
ここでより具体的に記述されている実施形態においては、２枚の大きなフラップ６０は、組立てたケースの幅の半分に等しいか又はほぼ等しい横方向の幅を呈する。
各々の大きい外部フラップ６０は、以下に記述する半舌状部分の形状と相補的な矩形形状をもつ切込み６２により、折畳みライン５９と平行する周縁部とのコーナー部分で終結する２つの側方辺を有する。
小さい内部フラップ６１は、同一サイズでかつ矩形である。
第２のフラップアセンブリ５８は、第１の折畳みライン５６に対して直交する第３の折畳みライン６３により４枚の主要面板に連結されている。
このアセンブリは、ほぼ矩形の２つの外部フラップ６４を有する。各々の外部フラップ６４は、折畳みライン６３との接合コーナーに、例えば円の一部分の形をした切込み６５を各々備えた２つの側方辺を有し、したがって、前記折畳みライン６３は、有利にはより優れた嵌合を可能にするため前記ラインに沿って、距離ｄだけ短かくあらゆるフラップから干渉されない部分で終わるようになっている。
なお、第３の折畳みラインと反対側のフラップ６４の縁部は、これらのフラップの側縁部から規定の距離の位置で、フラップの両側に設けられた２つの半スリット６６を含んでなる。
半スリットの各端部は、第３の折畳みラインとフラップの隅の交わる位置に向かって斜めに導かれて、この折畳みラインと接合するべくカット部６５の端部まで到達する形で、規定の距離にわたりミシン目入りライン６７によって延長されている。
第３の折畳みライン６３と周縁部との間のフラップ６４の幅は、ケースのフタの幅の半分に等しく、したがって、ケースが形成された時点で、前記縁部は突合わせ状態となり、半スリット６６は、向かい合わせとなって、フラップ同士の突合せ部分上に重なり合った状態で２つの平行で同一サイズのスリットを形成することになる。
小さなフラップ６８は、例えば大きなフラップ６４と同じ幅の矩形をしている。
これらのフラップは各々、一方の側はその周囲の大部分すなわち折畳みラインの両側の小さな部分以外の全周囲にわたり、周囲にくり抜き部７０を設けることによりフラップの中にカットされ、かつもう一方の側は、心出しされたその舌状部分の両側に位置する第３の折畳みライン６３との関係では、例えばボール紙の厚みだけフラップの内側にわずかにずらされた折畳みライン７１により、面板５３又は５４に連結されている１つの舌状部分６９を有している。
小さなフラップ６８は、各側面上に、折畳みライン６３との接合する位置に、舌状部分６９から分離できるフラップ部分を支持するように構成され、壁５１又は５２の上縁部上に載ることになるような形で、くり抜かれた部分６５と嵌合するように配置された矩形の突出部分７２を含む。
最後に、フタをよりうまく開梱することができるように、小さなフラップの上部コーナーを切断する、斜めのミシン目入りライン７２’が具備されている。
図６〜１０は、図５に対応するタイプのブランクで構成されたケース７３の形成を示す。
以下では、同じ要素を指すため、図５のブランクと同じ参照番号を利用することにする。
底面７４は、切込み６２から得られる本発明に従ったくり抜き部７５を伴い、それ自体は既知の方法で形成されている。
ケースの底面が形成され、ケースがマンドレルのまわりで組立てられた時点で、まず小さな内部フラップ６８が折返されると、ここで舌状部分６９はこのとき自然に、側方辺５３及び５４に平行して垂直に維持され（図６及び７参照）、対応するくり抜き部７０’を解放する。
フラップ６８の側方部分７６上には、フラップを互いによく固定することができるように、その充分な部分に、ただし外部フラップ６４のミシン目入りライン６７との関係において内部フラップの内側に、接着点又は接着ライン７７の形状に例えば「ホットメルト」接着剤を用いてあらかじめ糊付けされている。
なお、内部フラップは、入り込まず、突出部分７２は、壁５４の上縁部上に支えられることになり、このため、こうして付加される圧縮圧力による深い入り込みが避けられる。
外部フラップ６４は、次に折返され（図８参照）、スリット７８を形成し、内部フラップ６８上に折重ねられる。ミシン目入りライン６７は完全に、接着点及び／又は接着ライン７７より外側にあり、こうしてユーザがスリット７８から引張った際にフタを容易に開梱することが可能となる。
なお、接着ライン７９はあらかじめ、舌状部分６９が折重ねられる外部フラップ６４の上部面の外表面上に設けられている。
最後に（図９参照）、舌状部分６９は、本発明に従った舌状部分による心出し手段を実現するため、外部フラップの上部面上に折返され接着される。
図１０には、このようにして得られたケース７３の斜視図を、切込み６５の中の突出部分７２によって形成されたその入り込み防止コーナ８０、及び図１及び図１Ａを参考にして明示されているように、嵌合をより確実にするための折畳みラインのずれ８１を特に伴う付属物状態のその心出し用舌状部分６９と合わせて示した。
極めて頑丈で剛性のあるケースを開梱するためには、前述のとおり、スリット７８を矢印８２に従って引張るだけでよい。
図１１及び１２は、図５〜１０を参考にして記述したケースの一つの変形実施形態を示している。
より厳密に言うと、図１１及び１２は、内部フラップ８５の中にカットされた舌状部分８４を備えたケース８３を示している。
各々の内部フラップ８５は、その側縁部８６に、幅２〜５mmの矩形の２つの突出部分、すなわち、図５を参考にして記述したとおりの折畳みライン８８との接合コーナーにある第１の突出部分８７、及び折畳みライン８８と反対側のフラップの端部コーナにある第２の端部突出部分８９を有している。
各々の突出部分８７及び８９は、ケースの側方辺９４と外部フラップ９３の折畳みライン９２の上に設けられた対応するくり抜き部９０及び９１に入り嵌入されるように配置されている。
フラップが上述のとおり互いの上に連続して折返され接着された時点で、このようにして、８つの入り込み防止突出部分を伴う図１２に従ったケースが得られることになる。
ここでもまた、内部フラップと舌状部分との間に外部フラップが挿入されることにより、ケースには非常に優れた直角性と剛性が得られ、極めて頑丈な剛性ブロックとなる。
図１３は、コーナーが切断された８つの側面をもつケースのための、本発明に従ったブランク９６のもう１つの実施形態を示す。
ブランク９６は、切断されたコーナーを形成するための４つの中間面板９８と４つの主要面板９７を含み、これらの中間面板にはフラップが接合されてなく、この一続きの面板は、主要面板９７の端部に並置された中間面板９８上に固定されるための固定用舌状部分で終結している。
面板は、平行な第１の折畳みライン９９により互いに連結されている。
ここでもまた、ブランクは底面を形成することを目的とする第１のフラップアセンブリ及び図５のブランクを参照しながら記述したとおりの舌状部分１００を含む第２のフラップアセンブリを含んでなる。
第２のアセンブリの各々のフラップは、整列した第２の折畳みライン１０１からフラップの外側に向けて４５°斜めの２つの側方辺を設け、この斜めの部分は、ケースが形成された時点で隣接する中間面板にかぶさるように配置されている。
第１のアセンブリの大きな外部フラップは同様に、この斜めの部分と端部切込み１０２を含み、図５を参考にして記述されているとおり本発明に従った底面のくり抜き部を形成する。
図１４は、４つの舌状部分１０４とそれに対応する４つのくり抜き部１０５’を含む、本発明のもう１つの実施形態に従った２つのケース１０３、１０３’を示す。
ここでは、内部フラップである大きなフラップ１０６の各端部に２つの舌状部分１０４が具備されており、小さなフラップ１０７は、大きなフラップの舌状部分を除いた残りの部分と、２つの大きなフラップに向かい合う２つの舌状部分との間に挿入されて組立てられ、これらの大きなフラップの縁部１０８はフタの閉止を確保するよう隣接している。
図１５は、図１４のケース１０３が得られるブランク１０９を表す。
舌状部分は、前述のものと同じ形で設計されている。これらの舌状部分は、周辺くり抜き部１１０とともにいわゆる内部フラップ１０６中にカットされ、外部フラップ１０７は単に矩形をしている。
くり抜き部は、底面を形成することを目的とし、フラップ１０６のものと同じ寸法をもつ矩形のフラップ１１１の中に設けられている。
くり抜き部は、前述のとおり舌状部分と相補的な寸法を有している。
本発明の複数の実施形態の中で重要な要素の１つは、二重の折り目により又はごく単純に折畳みラインをずらすことによって得られる舌状部分の折畳みラインからのずれであり、このずれは常に、舌状部分に向かってその内側にボール紙の厚み以上のずれである。
舌状部分の接合部分及び重畳するくり抜き部の折畳みラインからのずれは、嵌合に著しく有利に作用し、したがってさらに積重ねの際のケースの山を強固にする。
このような調整は、特にケースがマンドレルのまわりで形成されるため、このケースを充分な精度で作ることができることから、さらに可能となる。
当然のことながら、そして上述のことの結果としてもたらされるとおり、本発明は、ここでより具体的に記述された実施形態に限定されるわけではない。本発明は、逆にその全ての変形形態、特に、それがさらに穴又は開口部を回避するための底面の補強用の別仕立てのボール紙シートを有するような変形形態、及び底面のフラップ間の接合縁部が斜めになっており、心出しされた形で向かい合った側面との関係において垂直でないような変形形態をも包含している。
【図１】
0003890084.tif 000002
【図１Ａ】
0003890084.tif 000003
【図２】
0003890084.tif 000004
【図３】
0003890084.tif 000005
【図４Ａ】
0003890084.tif 000006
【図４Ｂ】
0003890084.tif 000007
【図６】
0003890084.tif 000008
【図７】
0003890084.tif 000009
【図８】
0003890084.tif 000010
【図９】
0003890084.tif 000011
【図５】
0003890084.tif 000012
【図１０】
0003890084.tif 000013
【図１３】
0003890084.tif 000014
【図１１】
0003890084.tif 000015
【図１２】
0003890084.tif 000016
【図１４】
0003890084.tif 000017
【図１５】
0003890084.tif 000018